【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
第１の画像データと、前記第１の画像データよりも階調数が大きい第２の画像データとを入力する入力手段と、
前記第１の画像データに対し第１の画像処理を行う第１の画像処理手段と、
前記第１の画像処理手段から前記第１の画像処理の情報を取得し、前記第２の画像データに対し、階調数を前記第１の画像データの階調数以下に変換するとともに前記第１の画像処理を適用する第２の画像処理を行う第２の画像処理手段と、
を備える画像処理装置。
【請求項２】
前記第１の画像データの階調数と前記第２の画像データの階調数を取得する取得手段を更に備え、
前記第２の画像処理手段は、前記取得手段による取得結果に基づいて、前記第２の画像データの階調数を前記第１の画像データの階調数以下に変換する請求項１に記載の画像処理装置。
【請求項３】
前記第２の画像処理手段は、前記第１の画像データと前記第２の画像データとが互いに対応付けられた画像データであると判断した場合に、前記第２の画像処理を行う請求項１又は２に記載の画像処理装置。
【請求項４】
前記第２の画像データの階調数を前記第１の画像データの階調数以下に変換する処理を行うか否かの指示をユーザから受け付ける指示手段を更に備え、
前記第２の画像処理手段は、前記指示が入力された場合に、前記第２の画像処理を行う請求項１〜３のいずれか１項に記載の画像処理装置。
【請求項５】
前記取得手段は、前記第１の画像データの画素値と輝度値との対応関係の特性である階調特性を取得するとともに、前記第２の画像データの画素値のヒストグラムを更に取得し、
前記第２の画像処理手段は、前記第１の画像データの階調特性と前記第２の画像データのヒストグラムとに基づき、前記第２の画像処理を行うか否か判断する請求項２に記載の画像処理装置。
【請求項６】
前記第２の画像処理手段は、前記第１の画像データの階調特性が高輝度領域に多くの階調を割り当てる階調特性であり、かつ、前記第２の画像データのヒストグラムが高階調に度数が多いヒストグラムである場合に、前記第２の画像処理を行うと判断する請求項５に記載の画像処理装置。
【請求項７】
前記第２の画像処理手段は、前記第１の画像データの階調特性が低輝度領域に多くの階調を割り当てる階調特性であり、かつ、前記第２の画像データのヒストグラムが低階調に度数が多いヒストグラムである場合に、前記第２の画像処理を行うと判断する請求項５に記載の画像処理装置。
【請求項８】
前記第２の画像処理手段は、前記第２の画像データの階調数を前記第１の画像データの階調数以下にする処理を行った場合に前記第２の画像データから失われる階調数が閾値より小さい場合に、前記第２の画像処理を行うと判断する請求項５に記載の画像処理装置。
【請求項９】
前記取得手段は、前記第２の画像データの階調特性を更に取得し、
前記第２の画像処理手段は、第２の画像データの画素毎に、前記第２の画像データの階調特性に基づき画素値に対応する輝度値を求め、当該第２の画像データの輝度値と、前記第１の画像データの階調特性において画素値との対応関係が定められている輝度値のうち前記第２の画像データの輝度値に最も近い輝度値と、の差分を求め、第２の画像データの全ての画素について前記差分を合計した値が閾値より小さい場合に、前記第２の画像処理を行うと判断する請求項５に記載の画像処理装置。
【請求項１０】
前記第２の画像処理手段は、前記第１の画像データと前記第２の画像データが、同じ撮像環境において異なる撮像装置により撮像された動画像データと静止画像データである場合に、前記第２の画像処理を行う請求項１〜９のいずれか１項に記載の画像処理装置。
【請求項１１】
第１の画像データと、前記第１の画像データよりも階調数が大きい第２の画像データとを入力する入力工程と、
前記第１の画像データに対し第１の画像処理を行う第１の画像処理工程と、
前記第１の画像処理の情報を取得し、前記第２の画像データに対し、階調数を前記第１の画像データの階調数以下に変換するとともに前記第１の画像処理を適用する第２の画像処理を行う第２の画像処理工程と、
を備える画像処理装置の制御方法。
【請求項１２】
前記第１の画像データの階調数と前記第２の画像データの階調数を取得する取得工程を更に有し、
前記第２の画像処理工程では、前記取得工程における取得結果に基づいて、前記第２の画像データの階調数が前記第１の画像データの階調数以下に変換される請求項１１に記載の画像処理装置の制御方法。
【請求項１３】
前記第２の画像処理工程では、前記第１の画像データと前記第２の画像データとが互いに対応付けられた画像データであると判断された場合に、前記第２の画像処理を行う請求項１１又は１２に記載の画像処理装置の制御方法。
【請求項１４】
前記第２の画像データの階調数を前記第１の画像データの階調数以下に変換する処理を行うか否かの指示をユーザから受け付ける指示工程を更に有し、
前記第２の画像処理工程では、前記指示が入力された場合に、前記第２の画像処理を行う請求項１１〜１３のいずれか１項に記載の画像処理装置の制御方法。
【請求項１５】
前記取得工程では、前記第１の画像データの画素値と輝度値との対応関係の特性である
階調特性を取得するとともに、前記第２の画像データの画素値のヒストグラムを更に取得し、
前記第２の画像処理工程では、前記第１の画像データの階調特性と前記第２の画像データのヒストグラムとに基づき、前記第２の画像処理を行うか否か判断する請求項１２に記載の画像処理装置の制御方法。
【請求項１６】
前記第２の画像処理工程では、前記第１の画像データの階調特性が高輝度領域に多くの階調を割り当てる階調特性であり、かつ、前記第２の画像データのヒストグラムが高階調に度数が多いヒストグラムである場合に、前記第２の画像処理を行うと判断する請求項１５に記載の画像処理装置の制御方法。
【請求項１７】
前記第２の画像処理工程では、前記第１の画像データの階調特性が低輝度領域に多くの階調を割り当てる階調特性であり、かつ、前記第２の画像データのヒストグラムが低階調に度数が多いヒストグラムである場合に、前記第２の画像処理を行うと判断する請求項１５に記載の画像処理装置の制御方法。
【請求項１８】
前記第２の画像処理工程では、前記第２の画像データの階調数を前記第１の画像データの階調数以下にする処理を行った場合に前記第２の画像データから失われる階調数が閾値より小さい場合に、前記第２の画像処理を行うと判断する請求項１５に記載の画像処理装置の制御方法。
【請求項１９】
前記取得工程では、前記第２の画像データの階調特性を更に取得し、
前記第２の画像処理工程では、第２の画像データの画素毎に、前記第２の画像データの階調特性に基づき画素値に対応する輝度値を求め、当該第２の画像データの輝度値と、前記第１の画像データの階調特性において画素値との対応関係が定められている輝度値のうち前記第２の画像データの輝度値に最も近い輝度値と、の差分を求め、第２の画像データの全ての画素について前記差分を合計した値が閾値より小さい場合に、前記第２の画像処理を行うと判断する請求項１５に記載の画像処理装置の制御方法。
【請求項２０】
前記第２の画像処理工程では、前記第１の画像データと前記第２の画像データが、同じ撮像環境において異なる撮像装置により撮像された動画像データと静止画像データである場合に、前記第２の画像処理を行う請求項１１〜１９のいずれか１項に記載の画像処理装置の制御方法。 
【手続補正２】
【補正対象書類名】明細書
【補正対象項目名】０００９
【補正方法】変更
【補正の内容】
【０００９】
本発明は、第１の画像データと、前記第１の画像データよりも階調数が大きい第２の画像データとを入力する入力手段と、
前記第１の画像データに対し第１の画像処理を行う第１の画像処理手段と、
前記第１の画像処理手段から前記第１の画像処理の情報を取得し、前記第２の画像データに対し、階調数を前記第１の画像データの階調数以下に変換するとともに前記第１の画像処理を適用する第２の画像処理を行う第２の画像処理手段と、
を備える画像処理装置である。 
【手続補正３】
【補正対象書類名】明細書
【補正対象項目名】００１０
【補正方法】変更
【補正の内容】
【００１０】
本発明は、第１の画像データと、前記第１の画像データよりも階調数が大きい第２の画像データとを入力する入力工程と、
前記第１の画像データに対し第１の画像処理を行う第１の画像処理工程と、
前記第１の画像処理の情報を取得し、前記第２の画像データに対し、階調数を前記第１の画像データの階調数以下に変換するとともに前記第１の画像処理を適用する第２の画像処理を行う第２の画像処理工程と、
を備える画像処理装置の制御方法である。